(57)【要約】【課題】単独又は複数を連結して用いるローラコンベアにおいて、作業者が希望する任意の位置で被搬送箱の流れの方向を容易に変更できる機能を簡便に付加できる構造を提案すること。【解決の手段】利用するローラコンベアの希望する位置の隣接するローラを取り外し、同所にボールキャスターユニットを取り付け、同ボールキャスターユニットはローラコンベアの主フレームに設けられたローラ軸支持穴を利用して取り付ける構造とし、ボールキャスターユニットの長さは被搬送箱の底面の長辺に対応する長さとした。【選択図】図１
2018008804.tif 000002
【特許請求の範囲】
【請求項１】
複数のローラ、同ローラの回動を支持するローラ軸、同ローラ軸の両端を支える一対のローラコンベア主フレーム、同ローラコンベア主フレームを平行に連結し同主フレーム間の内々寸法やズレを保つ主ステイ及びステイパイプと同ステイパイプ連結長寸ボルトを主要構成要素とするローラコンベア、
前記ローラコンベアの任意の位置の隣接するローラを取り外した位置に組み込むボールキャスターユニットにあって、
同ボールキャスターユニットは、ボールキャスターユニット主フレーム、ボールキャスターユニット主フレーム固定ボルト、多数のボールキャスター及びボールキャスター固定ボルトで構成し、
前記ボールキャスターユニット主フレームは、平板の両端部をフラットバー状に同じ上方向に曲げて二つの耳とし、残る平面部分のボールキャスターユニット主フレーム平面部に分かれる断面形状が幅の広いチャンネル形状をなし、
前記耳は前記ローラコンベア主フレームに沿い、且つ、前記ボールキャスターユニット主フレーム固定ボルトで前記ローラコンベア主フレームの前記ローラ軸支持穴を利用して前記ローラコンベア主フレームに固定し、
前記ボールキャスターユニット主フレーム平面部には多数のボールキャスターを整然と配し、前記ボールキャスター固定ボルトで固定する構造で、
前記ボールキャスターユニットに組み込まれた前記ボールキャスターの頂点が構成する面と、前記ローラコンベアに組み込まれた前記ローラの頂点が構成する面は略同一面となるように構成する、
上述のような構造を特徴とする、ローラコンベアの任意の位置のローラと組みかえることができるボールキャスターユニット。
【発明の詳細な説明】
【技術分野】
【０００１】
本発明は、ローラコンベアの選択した任意の箇所に、搬送する箱の搬送方向を自由に変更できる機能を付加する、隣接する複数のローラと置換するボールキャスターユニットに関する。
【背景技術】
【０００２】
農作業の現場で、特に圃場内で収穫物を箱詰した実入りの箱を圃場外に搬出し、農道や作業道（通称ブーム道と称し、以後、ブーム道と記載する）に留め置くトラックやトラクターの後部に設けた巨大容器（通称バケットと称し、以後、バケットと記載する）に積み込むにあたり、作業者が持ち歩く方法、人力又は動力で動く運搬台車に載せて一定量を纏めて運び出す方法、ローラコンベアを圃場に直接配列して、同ローラコンベアの移設を繰り返しながら運び出す方法等がある。
【０００３】
前述のローラコンベアを圃場に直接配列して利用する方法は、頻繁な移設作業の負担が大きく、コンベアを購入したが使用しない生産者もおり、最近、二本の車輪を備えた台車でコンベア端部を支持し、同台車は畝溝に沿って人力で押して移動ができるような構造・機構が提案され、コンベアを複数連結して簡単に移動しながら利用する方法が普及し始めている。
【０００４】
上述の移動方式のローラコンベア利用にあたり、工場内で利用されていると同じく、搬送の流れを変えたい要望、多くは略９０度、があり、
別途、略直角方向に配置したローラコンベアに人力で積み替えているが、要員が一名必要で、重労働のため非力な人には不向きな作業で、
市販の４本の脚を備え、方向転換機能を備えたボールキャスター式方向転換機を導入した例もあるが、自重が重く、凸凹の平坦でない圃場での設置は課題が多く、利用困難な状態である。
方向転換機能が簡便に利用可能であれば、方向転換の作業は軽作業となり非力な人でも可能な作業となり、方向転換の案内板を設けて流れの方向を変えることが出来れば、作業員を一名減員できる。
【０００５】
ローラコンベアの寸法上の選択は、搬送する被搬送箱の底面寸法で決定する。
又、ローラコンベアは規格寸法で生産販売されている物を多用し、一例を挙げると、
ローラコンベアの規格長さ（一般に機長と称し、以後、機長と記載する）は、１メートル、１．５メートル、２メートル、３メートル、
ローラコンベアの規格幅（一般に機幅と称し、以後、機幅と記載する）は、３０５ｍｍ、３６０ｍｍ、４６０ｍｍ、５６０ｍｍ、６６０ｍｍ等があり、
一般的に、被搬送箱の底面の短辺の寸法で機幅を選択し、搬出する距離でローラコンベアの機長と数を決定する。
【先行技術文献】
【特許文献】
【０００６】
【特許文献１】特開２０１２−１９７８９号公報
【特許文献２】特開２０１４−２２７２４１号公報
【発明の概要】
【発明が解決しようとする課題】
【０００７】
単独又は複数連結して利用するローラコンベアにおいて、ローラコンベア上の希望する任意の位置に方向転換機能を簡単に付加できる機構を提案することを課題とする。
【課題を解決するための手段】
【０００８】
ローラコンベアの選択した任意の位置の隣接する複数のローラを取り外した位置に、ボールキャスターユニットを組み込む構造とし、前記ボールキャスターユニットを組み込む際に、ローラコンベア主フレームを平行に連結し同主フレーム間の内々寸法やズレを保つ主ステイ及びステイパイプと同ステイパイプ連結長寸ボルト等が干渉する場合は、それらを取り外す。
ボールキャスターユニット主フレームはローラコンベアの主ステイ及びステイパイプと同ステイパイプ連結長寸ボルトの機能を備えている。
【０００９】
前記ボールキャスターユニットは、ボールキャスターユニット主フレーム、同ボールキャスターユニット主フレーム固定ボルト、多数のボールキャスター及び同ボールキャスター固定ボルトで構成し、
前記ボールキャスターユニット主フレームは、平板の両端部をフラットバー状に同じ上方向に曲げて二つの耳とし、残る平面部分のボールキャスターユニット主フレーム平面部に分かれる形状をなし、
前記耳は前記ローラコンベア主フレームに沿い、且つ、前記ボールキャスターユニット主フレーム固定ボルトでローラコンベア主フレームのローラ軸支持穴を利用して前記ローラコンベア主フレームに固定し、
前記ボールキャスターユニット主フレーム平面部には多数のボールキャスターを整然と配し、前記ボールキャスター固定ボルトで固定する構造とした。
又ボールキャスターユニットの長さは、被搬送箱の底面の長辺長さに対応する長さとし、同ボールキャスターユニットの前後端部と隣接するローラは接触しない構造とした。
【００１０】
前記ボールキャスターユニットに組み込まれた前記ボールキャスターの頂点が構成する面と、前記ローラコンベアに組み込まれた前記ローラの頂点が構成する面は略同一面となる構造とした。
【００１１】
前記ボールキャスターユニットの組み込み位置は、単独又は複数連結して利用するローラコンベアの選択した位置の一箇所又は複数個所に選択自由とした。
【発明の効果】
【００１２】
本発明のボールキャスターユニットは、単独又は複数連結して利用するローラコンベアの選択した任意の位置に後付で組み込み可能で、
別規格のボールキャスター方向転換機を利用する場合に発生する、設置位置調整、高さ調整、傾き調整、４脚のための不安定調整、及び現場までの搬入、移設・移動、搬出等々の手数が不要である。
【００１３】
又、ローラコンベアの複数の選択した位置に組み込みが可能である。
【００１４】
２本のローラコンベアの連結部にも組み込みが可能で、例えば、ローラコンベア連結部両端の各々に、必要ユニット長の１／２長さのボールキャスターユニットを組み込むと、連結部にも方向転換機能を付加することができる。
【００１５】
上述のごとく、本発明のボールキャスターユニットは、別規格のボールキャスター方向転換機の欠点を十分に補う機能を、安価に簡便にローラコンベアに付加することができる。
【図面の簡単な説明】
【００１６】
【図１】本発明のボールキャスターユニットを、ローラコンベアの選択した位置の５本のローラを取り外した箇所に組み込んだ概略平面図で、ローラコンベアに備える主ステイ及びステイパイプと同ステイパイプ連結長寸ボルトの記載を省略した図である。
【図２】図１の概略側面図である。
【図３】図１の矢視Ａ−Ａにおける概略断面図である。
【発明を実施するための形態】
【００１７】
以下、図面を参照しつつ、本発明の実施の形態を説明する。
【００１８】
図１に示すローラコンベア２は、被搬送箱に適した選択されたローラコンベアで、同コンベアの選択した位置のローラ２２及びローラ軸２２１を５本取り外し、同所にボールキャスターユニット１を取り付けた図で、
図１のローラコンベア２の左から流れてきてボールキャスターユニット１の上に達した被搬送箱は、そのまま通過させても良く、ボールキャスターユニット１の上で通常は９０度旋回させて図１の上方向又は下方向に容易に流れを変えることができる。
【００１９】
図２に示すボールキャスターユニット固定ボルト１１３は、ローラコンベア主フレーム２１に設けたローラ軸２２１のローラ軸支持穴２２１を利用して取り付ける構造で、取り付け穴の追加加工が不要であり、任意の位置に取り付け又は移設が可能で、１本のローラコンベアに複数のボールキャスターユニット１を組み込むことも可能である。
【００２０】
図２及び図３に示すローラの頂点２２２とボールキャストの頂点１２２は略同一平面に位置するように製作している。
【００２１】
ボールキャスターユニット１の長さ（以後、ユニット長と記す）は、置換するローラ２２の２本分、３本分、４本分、５本分、６本分等の多種類を準備しておけば、同じユニット長の組み合わせや異なるユニット長の組み合わせで、総ユニット長の異なるボールキャスターユニット１を提供でき、被搬送箱に最適に対応するユニット長の変更は容易である。
【産業上の利用可能性】
【００２２】
本発明のボールキャスターユニットは農業の作業現場、特に収穫物を箱詰した実入りの箱を搬出するに当たり、昨今利用が始まった単独又は複数連結して利用するローラコンベアに、簡便に方向転換できる機能を付加したい要望があり、その要望には十分応えることができるが、
工場や倉庫でのローラコンベアの敷設にあたり、コンベアの機長や繋ぎ目等々に制約されずに、方向転換の機能を付加する位置を自由に選ぶことができ、産業上に大いに利用が見込める。
【符号の説明】
【００２３】
１      ボールキャスターユニット
１１    ボールキャスターユニット主フレーム
１１１  ボールキャスターユニット主フレームの耳
１１２  ボールキャスターユニット主フレームの平面部
１１３  ボールキャスターユニット固定ボルト
１２    ボールキャスター
１２１  ボールキャスター固定ボルト
１２２  ボールキャスターの頂点
２      ローラコンベア
２１    ローラコンベア主フレーム
２２    ローラ
２２１  ローラ軸又はローラ軸支持穴
２２２  ローラの頂点
【図１】
2018008804.tif 000003
【図２】
2018008804.tif 000004
【図３】
2018008804.tif 000005